(57)【要約】      （修正有）【課題】義眼の瞳孔部材を生き生きと浮き上がらせて、魚の注意を惹き付け易くし、その結果、釣果を増大させることができるルアーを提供する。【解決手段】円形の基材と、上記基材の中心部に配置された小径の瞳孔部材１８と、上記瞳孔部材を覆うように上記基材の上にドーム状に配置された被覆部材１９とから成る義眼１６を有するルアーであって、上記基材は貝殻により形成されている。また、上記瞳孔部材も貝殻により形成され、上記基材には黒蝶貝の貝殻２０が使用され、上記瞳孔部材には白蝶貝の貝殻２１が使用されている。上記基材の裏面には黒色の着色部が設けられる場合もある。【選択図】図２
0003114126.tif 000002
【実用新案登録請求の範囲】
【請求項１】
円形の基材と、上記基材の中心部に配置された小径の瞳孔部材と、上記瞳孔部材を覆うように上記基材の上にドーム状に配置された被覆部材とから成る義眼を有するルアーであって、上記基材は貝殻により形成されていることを特徴とするルアー。
【請求項２】
上記瞳孔部材が貝殻により形成されていることを特徴とする請求項１記載のルアー。
【請求項３】
上記基材には黒蝶貝の貝殻が使用され、上記瞳孔部材には白蝶貝の貝殻が使用されていることを特徴とする請求項２記載のルアー。
【請求項４】
上記基材は裏面に黒色の着色部が設けられていることを特徴とする請求項１〜３記載のルアー。
【請求項５】
上記瞳孔部材がドーム状に形成されていることを特徴とする請求項１〜４記載のルアー。
【請求項６】
上記被覆部材はＵＶ加工されたエポキシ樹脂により形成されていることを特徴とする請求項１〜５記載のルアー。
【請求項７】
上記被覆部材はＵＶ加工されたアクリルレンズにより形成されていることを特徴とする請求項１〜５記載のルアー。
【考案の詳細な説明】
【技術分野】
【０００１】
本考案は釣に使用するルアーに係り、特に、釣果の増大を可能とする義眼を有するルアーに関する。
【背景技術】
【０００２】
釣では生餌を使用する場合と、ルアーを使用する場合とがある。
上記ルアーは、釣果を高めるために、生餌を模してデザインされている。即ち、ルアーは実物の小魚に類似した形状を有するように形成されている。
【０００３】
魚を上記ルアーに食い付かせやすくするためには、上記ルアーにおいて特に眼の部分が重要で、その義眼を実物の魚のように生き生きとさせる必要がある。
【０００４】
従来のルアーに使用されている義眼３１は、図１０に示すように、円形の基材３２の中心部に、瞳孔部が印刷されるか、又は上記基材３２より小径の円板状の瞳孔部材３３が配置され、上記瞳孔部又は上記瞳孔部材３３を覆うように上記基材３２の上に透明でドーム状の被覆部材３４が配置された構成を有している。
【０００５】
そして、上記基材３２には立体感を醸し出すためにホログラムが印刷されたものも存在する。
【０００６】
しかしながら、上記従来例における上記義眼３１は、上記基材３２の直径が約６ｍｍ程度で、上記瞳孔部又は上記瞳孔部材３３の直径が約３ｍｍ程度に設定され、上記瞳孔部又は上記瞳孔部材３３の寸法が小さいことから、水中で上記瞳孔部又は瞳孔部材３３が生き生きと見えず、目立たないという不具合があった。従って、上記義眼３１は魚の注意を惹き付けることができず、釣果を増大することが困難であった。
【０００７】
本出願人は、上記不具合を解消しうる義眼を有するルアーについて先行技術を調査したが、関連する先行技術文献を見出すことはできなかった。
【考案の開示】
【考案が解決しようとする課題】
【０００８】
そこで本考案の課題は、義眼の瞳孔部材を生き生きと浮き上がらせて、魚の注意を惹き付け易くし、その結果、釣果を増大させることができるルアーを提供することにある。
【課題を解決するための手段】
【０００９】
上記課題を解決するために、請求項１記載の本考案に係るルアーは、円形の基材と、上記基材の中心部に配置された小径の瞳孔部材と、上記瞳孔部材を覆うように上記基材の上にドーム状に配置された被覆部材とから成る義眼を有するルアーであって、上記基材は貝殻により形成されていることを特徴とする。
【００１０】
即ち、請求項１記載の本考案に係るルアーにあっては、上記瞳孔部材の背景となる上記基材に貝殻が使用されているものである。この基材に使用された貝殻は、その色や質感により上記瞳孔部材を目立たせる作用を有する。従って、上記瞳孔部材は浮き上がって見えるようになるため、魚の注意を惹き付け易くなる。
【００１１】
また、請求項２記載の本考案に係るルアーは、上記瞳孔部材が貝殻により形成されていることを特徴とする。
【００１２】
即ち、請求項２記載の本考案に係るルアーにあっては、上記基材のみでなく、上記瞳孔部材にも貝殻が使用されている。これにより、上記基材と上記瞳孔部材の質感が統一され、両者の間に外観上の違和感が無くなる。
【００１３】
また、請求項３記載の本考案に係るルアーは、上記基材には黒蝶貝の貝殻が使用され、上記瞳孔部材には白蝶貝の貝殻が使用されていることを特徴とする。
【００１４】
即ち、請求項３記載の本考案に係るルアーにあっては、上記基材に使用される貝殻として特に黒蝶貝の貝殻が選択されている。黒蝶貝の貝殻は他の貝殻に比べ、外観が美しく装飾的であり、見るものを惹き付ける作用を有するためである。また、上記瞳孔部材には上記黒蝶貝と質感が統一されると共に、色彩上のコントラストも強調される白蝶貝の貝殻が選択されている。
【００１５】
また、請求項４記載の本考案に係るルアーは、上記基材は裏面に黒色の着色部が設けられていることを特徴とする。
【００１６】
即ち、請求項４記載の本考案に係るルアーにあっては、水中において太陽光線が上記基材に当たった場合の効果を高めるために、上記基材の裏面に黒色の着色部が設けられている。即ち、上記着色部により、上記基材に太陽光線が当たると、上記貝殻の色彩が鮮明かつビビッドに浮き上がり、魚の注意を惹きつけやすくなる。
【００１７】
また、請求項５記載の本考案に係るルアーは、上記瞳孔部材がドーム状に形成されていることを特徴とする。
【００１８】
即ち、請求項５記載の本考案に係るルアーにあっては、上記瞳孔部材に太陽光線が当たった場合の効果を高めるために、上記瞳孔部材がドーム状に形成されている。即ち、上記瞳孔部材がドーム状であることから、上記瞳孔部材に当たって反射する光線は散乱して、魚の目に入りやすくなる。
【００１９】
また、請求項６記載の本考案に係るルアーは、上記被覆部材はＵＶ加工されたエポキシ樹脂により形成されていることを特徴とする。
【００２０】
即ち、請求項６記載の本考案に係るルアーにあっては、上記被覆部材を容易に形成しうるように素材としてエポキシ樹脂が使用されている。また、紫外線による劣化を防ぐために上記被覆部材にはＵＶ加工が施されている。
【００２１】
また、請求項７記載の本考案に係るルアーは、上記被覆部材はＵＶ加工されたアクリルレンズにより形成されていることを特徴とする。
【００２２】
即ち、請求項７記載の本考案に係るルアーにあっては、上記被覆部材に上記瞳孔部材を目立たせる機能を付加するために、上記被覆部材にアクリルレンズが使用されている。即ち、アクリルレンズ製の上記被覆部材は上記瞳孔部材を拡大して見せることから、魚の注意を惹き付け易くなる。
【考案の効果】
【００２３】
請求項１記載の本考案に係るルアーは、円形の基材と、上記基材の中心部に配置された小径の瞳孔部材と、上記瞳孔部材を覆うように上記基材の上にドーム状に配置された被覆部材とから成る義眼を有するルアーであって、上記基材は貝殻により形成されていることから、上記基材に使用されている貝殻の色や模様が上記瞳孔部材を浮き上がらせる作用を有するため、上記瞳孔部材が生き生きと見えるようになり、これにより魚の注意を惹き付けやすくなり、魚の食い付きが促進される。その結果、釣果が増大する。
【００２４】
また、請求項２記載の本考案に係るルアーは、上記瞳孔部材が貝殻により形成されていることから、上記瞳孔部材に使用されている貝殻の色や模様によって、上記瞳孔部材自体が浮き上がって生き生きと見えるため、魚の注意を惹き易くなって、釣果の増大がもたらされる。
【００２５】
また、請求項３記載の本考案に係るルアーは、上記基材には黒蝶貝の貝殻が使用され、上記瞳孔部材には白蝶貝の貝殻が使用されていることから、上記黒蝶貝と上記白蝶貝の色のコントラストにより上記瞳孔部材が際立って浮き上がるように見え、その結果、魚の注意を惹きつけて釣果が増大する。
【００２６】
また、請求項４記載の本考案に係るルアーは、上記基材は裏面に黒色の着色部が設けられていることから、水中で太陽光線が上記基材に当たった際に、上記着色部が上記基材に使用されている貝殻の色を鮮明かつビビッドに現出させるため、上記貝殻を使用した効果が顕著になり、釣果が増大する。
【００２７】
また、請求項５記載の本考案に係るルアーは、上記瞳孔部材がドーム状に形成されていることから、上記瞳孔部材の表面に向かって入射した光が反射する方向の範囲が拡大する。その結果、魚がどの方向からも上記瞳孔部材を見ることができるため、魚の注意を惹きやすくやすくなり、その結果、釣果が増大する。
【００２８】
また、請求項６記載の本考案に係るルアーは、上記被覆部材がＵＶ加工されたエポキシ樹脂により形成されていることから、上記被覆部材の成形が容易で製造コストを低減することができると共に、劣化しにくくなって耐久性が向上する。
【００２９】
また、請求項７記載の本考案に係るルアーは、上記被覆部材がＵＶ加工されたアクリルレンズにより形成されていることから、上記被覆部材である上記アクリルレンズにより上記瞳孔部材が拡大されて見えるようになるため、魚の注意をより惹き易くなって、釣果の増大がもたらされる。
【考案を実施するための最良の形態】
【００３０】
以下、図面を用いて本考案の実施の形態について説明する。
本実施の形態に係るルアー１１は、図１に示すように、円形の基材１７と、上記基材１７の中心部に配置された小径の瞳孔部材１８と、上記瞳孔部材１８を覆うように上記基材１７の上にドーム状に配置された被覆部材１９とから成る義眼１６を有するルアー１１であって、図２〜図９に示すように、上記基材１７は貝殻２０により形成されている。
また、図２〜図９に示すように、上記瞳孔部材１８も貝殻２１により形成されている。
また、図２〜図９に示すように、上記基材１７には黒蝶貝の貝殻２０が使用され、上記瞳孔部材１８には白蝶貝の貝殻２１が使用されている。
また、図３，図５，図７及び図９に示すように、上記基材１７は裏面に黒色の着色部２３が設けられている。
また、図４，図５，図８及び図９に示すように、上記瞳孔部材１８はドーム状に形成されている。
また、図２〜図５に示すように、上記被覆部材１９はＵＶ加工されたエポキシ樹脂２２により形成されている。
また、図６〜図９に示すように、上記被覆部材１９はＵＶ加工されたアクリルレンズ２４により形成されている。
【実施例１】
【００３１】
図１及び図２は実施例１に係るルアー１１を示したものである。
本実施例１に係るルアー１１は、小魚を模して形成されたルアー本体１２の前端にライン１３の結着環１４が装着されると共に、上記ルアー本体１２の後端に針１５が接合され、さらに、上記ルアー本体１２には義眼１６が固着されて構成されている。
なお、上記ルアー本体１２は鉛、錫、タングステン若しくはこれらの合金等の金属素材、又はプラスチック等により形成されている。
【００３２】
上記義眼１６は、図２に示すように、直径６ｍｍの円板状に形成された基材１７と、直径３ｍｍの円板状に形成された瞳孔部材１８と、略半球形でドーム状に形成された透明な被覆部材１９とにより構成されている。
【００３３】
図２に示すように、上記基材１７は黒蝶貝の貝殻２０を加工して形成され、上記瞳孔部材１８は白蝶貝の貝殻２１を加工して形成されている。
【００３４】
また、図２に示すように、上記被覆部材１９はＵＶ加工されたエポキシ樹脂２２により形成されている。
【実施例２】
【００３５】
図３は実施例２に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００３６】
上記義眼１６は、図３に示すように、直径６ｍｍの円板状に形成された基材１７と、直径３ｍｍの円板状に形成された瞳孔部材１８と、略半球形でドーム状に形成された透明な被覆部材１９とにより構成されている。
【００３７】
図３に示すように、上記基材１７は黒蝶貝の貝殻２０を加工して形成され、上記瞳孔部材１８は白蝶貝の貝殻２１を加工して形成されている。
【００３８】
また、図３に示すように、上記被覆部材１９はＵＶ加工されたエポキシ樹脂２２により形成されている。
【００３９】
そして、本実施例２に係るルアー１１に装着される上記義眼１６にあっては、図３に示すように、上記黒蝶貝の貝殻２０により形成された上記基材１７の裏面に、厚さ寸法が０．３〜０．４ｍｍとなるように、黒色の着色材による着色部２３が設けられている。
【実施例３】
【００４０】
図４は実施例３に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００４１】
上記義眼１６は、図４に示すように、直径６ｍｍの円板状に形成された基材１７と、直径３ｍｍの平面円形に形成された瞳孔部材１８と、略半球形でドーム状に形成された透明な被覆部材１９とにより構成されている。
【００４２】
図４に示すように、上記基材１７は黒蝶貝の貝殻２０を加工して形成され、上記瞳孔部材１８は白蝶貝の貝殻２１を加工して形成されている。
【００４３】
また、図４に示すように、上記被覆部材１９はＵＶ加工されたエポキシ樹脂２２により形成されている。
【００４４】
そして、本実施例３に係るルアー１１に装着される上記義眼１６にあっては、図４に示すように、上記瞳孔部材１８は、上記被覆部材１９と同様にドーム状に形成されている。
【実施例４】
【００４５】
図５は実施例４に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００４６】
上記義眼１６は、図５に示すように、直径６ｍｍの円板状に形成された基材１７と、直径３ｍｍのドーム状に形成された瞳孔部材１８と、略半球形でドーム状に形成された透明な被覆部材１９とにより構成されている。
【００４７】
図５に示すように、上記基材１７は黒蝶貝の貝殻２０を加工して形成され、上記瞳孔部材１８は白蝶貝の貝殻２１を加工して形成されている。
【００４８】
また、図５に示すように、上記被覆部材１９はＵＶ加工されたエポキシ樹脂２２により形成されている。
【００４９】
そして、本実施例４に係るルアー１１に装着される上記義眼１６にあっては、図５に示すように、上記黒蝶貝の貝殻２０により形成された上記基材１７の裏面に、厚さ寸法が０．３〜０．４ｍｍとなるように、黒色の着色材による着色部２３が設けられている。
【実施例５】
【００５０】
図６は実施例５に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００５１】
上記義眼１６は、図６に示すように、直径６ｍｍの円板状に形成された基材１７と、直径３ｍｍの円板状に形成された瞳孔部材１８と、略半球形でドーム状に形成された透明な被覆部材１９とにより構成されている。
【００５２】
図６に示すように、上記基材１７は黒蝶貝の貝殻２０を加工して形成され、上記瞳孔部材１８は白蝶貝の貝殻２１を加工して形成されている。
【００５３】
そして、本実施例５に係るルアー１１に装着される上記義眼１６にあっては、上記被覆部材１９はＵＶ加工されアクリルレンズ２４により形成されている。
【実施例６】
【００５４】
図７は実施例６に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００５５】
上記義眼１６は、図７に示すように、直径６ｍｍの円板状に形成された基材１７と、直径３ｍｍの円板状に形成された瞳孔部材１８と、略半球形でドーム状に形成された透明な被覆部材１９とにより構成されている。
【００５６】
図７に示すように、上記基材１７は黒蝶貝の貝殻２０を加工して形成され、上記瞳孔部材１８は白蝶貝の貝殻２１を加工して形成されている。
【００５７】
そして、本実施例６に係るルアー１１に装着される上記義眼１６にあっては、図７に示すように、上記被覆部材１９がＵＶ加工されたアクリルレンズ２４により形成されると共に、上記黒蝶貝の貝殻２０により形成された上記基材１７の裏面に、厚さ寸法が０．３〜０．４ｍｍとなるように、黒色の着色材による着色部２３が設けられている。
【実施例７】
【００５８】
図８は実施例７に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００５９】
上記義眼１６は、図８に示すように、直径６ｍｍの円板状に形成された基材１７と、直径３ｍｍの平面円形に形成された瞳孔部材１８と、略半球形でドーム状に形成された透明な被覆部材１９とにより構成されている。
【００６０】
図８に示すように、上記基材１７は黒蝶貝の貝殻２０を加工して形成され、上記瞳孔部材１８は白蝶貝の貝殻２１を加工して形成されている。
【００６１】
そして、本実施例７に係るルアー１１に装着される上記義眼１６にあっては、図８に示すように、上記被覆部材１９がＵＶ加工されたアクリルレンズ２４により形成されると共に、上記瞳孔部材１８が上記被覆部材１９と同様にドーム状に形成されている。
【実施例８】
【００６２】
図９は実施例８に係るルアー１１に装着される義眼１６を示したものである。
なお、ルアー本体１２の構造は上記実施例１に係るルアー１１の上記ルアー本体１２と同一であるので、図示及び説明は省略し、上記義眼１６の構造のみについて説明する。
【００６３】
上記義眼１６は、図９に示すように、直径６ｍｍの円板状に形成された基材１７と、直径３ｍｍの平面円形に形成された瞳孔部材１８と、略半球形でドーム状に形成された透明な被覆部材１９とにより構成されている。
【００６４】
図９に示すように、上記基材１７は黒蝶貝の貝殻２０を加工して形成され、上記瞳孔部材１８は白蝶貝の貝殻２１を加工して形成されている。
【００６５】
そして、本実施例８に係るルアー１１に装着される上記義眼１６にあっては、図９に示すように、上記被覆部材１９がＵＶ加工されたアクリルレンズ２４により形成されると共に、上記瞳孔部材１８が上記被覆部材１９と同様にドーム状に形成され、さらに、上記黒蝶貝の貝殻２０により形成された上記基材１７の裏面に、厚さ寸法が０．３〜０．４ｍｍとなるように、黒色の着色材による着色部２３が設けられている。
【００６６】
以下、上記実施例の作用について説明する。
まず、上記義眼１６において、上記瞳孔部材１８の背景となる上記基材１７が貝殻２０により形成されていることから、その貝殻２０の色や質感が、上記瞳孔部材１８を目立たせることになり、その結果、上記瞳孔部材１８は浮き上がって見えるようになり、魚の注意を惹き付け易いため、釣果の増大がもたらされる。
また、上記瞳孔部材１８も貝殻２１により形成されていることから、上記基材１７と上記瞳孔部材１８の質感が統一され、両者の間に外観上の違和感が無くなるため、義眼１６が実物のように自然に見える。その結果、魚の食い付きが良好になる。
また、上記基材１７に黒蝶貝の貝殻２０が使用され、上記瞳孔部材１８に白蝶貝の貝殻２１が使用されることから、他の貝殻に比べ外観が著しく美しく装飾的になると共に、質感が統一され、かつ、色彩上のコントラストも強調される。従って、魚の注意を惹き付けやすくなる。
また、上記基材１７の裏面に黒色の着色部２３が設けられたものは、水中において太陽光線が上記基材１７に当たった場合に、上記着色部２３により、上記基材１７の貝殻２０の色彩が鮮明かつビビッドに浮き上がり、魚の注意を惹きつけやすくなる。
また、上記瞳孔部材１８がドーム状に形成されているものは、上記瞳孔部材１８に太陽光線が当たって反射する際に、太陽光線が散乱しやすくなる。その結果、上記瞳孔部材１８が魚の目に入りやすくなる。
また、上記被覆部材１９がＵＶ加工されたエポキシ樹脂により形成されているものは、容易に形成しうると共に、紫外線による劣化を防止することができる。
また、上記被覆部材１９がＵＶ加工されたアクリルレンズにより形成されているものは、上記被覆部材１９が上記瞳孔部材１８を拡大して見せるため、魚の注意を惹き付け易くなり、釣果の増大がもたらされる。
【産業上の利用可能性】
【００６７】
本考案は義眼を有するルアーに適用可能である。
【図面の簡単な説明】
【００６８】
【図１】実施例１に係るルアーの斜視図である。
【図２】実施例１に係るルアーに装着される義眼の断面図である。
【図３】実施例２に係るルアーに装着される義眼の断面図である。
【図４】実施例３に係るルアーに装着される義眼の断面図である。
【図５】実施例４に係るルアーに装着される義眼の断面図である。
【図６】実施例５に係るルアーに装着される義眼の断面図である。
【図７】実施例６に係るルアーに装着される義眼の断面図である。
【図８】実施例７に係るルアーに装着される義眼の断面図である。
【図９】実施例８に係るルアーに装着される義眼の断面図である。
【図１０】従来例に係るルアーの義眼を示す斜視図である。
【符号の説明】
【００６９】
１１  ルアー  
１２  ルアー本体
１３  ライン
１４  結着環
１５  針
１６  義眼
１７  基材
１８  瞳孔部材
１９  被覆部材
２０  黒蝶貝の貝殻
２１  白蝶貝の貝殻
２２  エポキシ樹脂
２３  着色部
２４  アクリルレンズ
３１  義眼
３２  基材
３３  瞳孔部材
３４  被覆部材
【図１】
0003114126.tif 000003
【図２】
0003114126.tif 000004
【図３】
0003114126.tif 000005
【図４】
0003114126.tif 000006
【図５】
0003114126.tif 000007
【図６】
0003114126.tif 000008
【図７】
0003114126.tif 000009
【図８】
0003114126.tif 000010
【図９】
0003114126.tif 000011
【図１０】
0003114126.tif 000012